Podtech/llm-jp-corpus-v4-ja_patent huggingface dataset:
(57)【要約】【課題】従来、祝儀袋は使用された後はそのまま破棄されるのが常である。勿体ない上資源の無駄である。【解決手段】本発明は、祝儀袋自体を通常の二つ折りのブックカバーの形態にし（図１）、祝儀袋として使用された後はそのままブックカバーとして再利用できるのを特徴とする祝儀袋である。さらに、祝儀袋上のお祝い表記文字（「寿」、「御祝」等）の部分をしおり（ブックマーク）にして、そのしおりの細帯紐（１）の先端を祝儀袋（＝ブックカバー）の内側中央上端（２）に取り付けた。こうすることにより、しおり付きブックカバーとして再利用できるのを特徴とする祝儀袋である。【選択図】図１
2017088240.tif 000002
【特許請求の範囲】
【請求項１】
祝儀袋の本体を二つ折りのブックカバーの形態にし（図１）、祝儀袋として使用された後はブックカバーとして再利用できることを特徴とする祝儀袋。
【請求項２】
祝儀袋の表に記されるお祝い表記文字（「寿」、「御祝」等）の部分に、その文字をあしらって作ったしおり（図２）を貼り、祝儀袋として使用された後は、取り外して本のしおりとして再利用できることを特徴とする請求項１記載の祝儀袋。
【請求項３】
しおりに付けられている細帯紐（１）の先端を、祝儀袋（＝ブックカバー）を開いた中央上端に取り付け（２）、ブックカバーとして再利用する際には、しおり付きブックカバーとなることを特徴とする請求項１乃至２記載の祝儀袋。
【発明の詳細な説明】
【技術分野】
【０００１】本発明は慶事の際使用する祝儀袋に関するものである。
【発明の概要】
【発明が解決しようとする課題】
【０００２】従来から祝儀袋は使用された後はそのまま破棄されるのが常である。しかし昨今は装飾性、高級性を追求した祝儀袋も多く、受け取った者にそれらを破棄するのが勿体ないという感じを生ぜしめる。そして何よりも資源の無駄である。
【課題を解決するための手段】
【０００３】祝儀袋自体を二つ折りのブックカバーの形態にし（図１）、祝儀袋として使用された後はそのままブックカバーとして再利用できるものとした。【０００４】次に、祝儀袋には（一般的にはその上に置く短冊の）上部に、祝儀袋の趣旨を表すお祝い表記文字（「寿」とか「御祝」等）が記されているが、この部分を白紙にして、別途その文字をあしらったしおり（図２）を作り、それを祝儀袋（もしくは短冊）の上部に、貼りはがし自在の両面テープで貼り付ける（図３）。こうすることで祝儀袋上のお祝い表記文字の部分も、しおり（ブックマーク）として再利用できる。【０００５】そしてしおりに付けられている細帯紐（１）の先端を、祝儀袋を開いた中央上端（２）に取り付けると、祝儀袋がブックカバーとして再利用される際には、しおり付きブックカバーとなり付加価値も高まる。
【発明の効果】
【０００６】従来は受け取った後に直ちに破棄されていた祝儀袋が、そのままブックカバーとして再利用でき、資源の有効活用になる。【０００７】また、「寿」等のお祝い表記文字の部分がしおりとして再利用でき、受け取った者にとってよい思い出の品となり、満足感も高まる。
【図面の簡単な説明】
【０００８】
【図１】祝儀袋（＝ブックカバー）本体を開いた内側図
【図２】しおり（ブックマーク）
【図３】祝儀袋正面図
【発明を実施するための形態】
【０００９】通常の二つ折りの形態のブックカバー（図１）をそのまま祝儀袋の本体とする。大きさは新書版がほぼ一般の祝儀袋と同じ大きさなので新書版サイズとする。素材は紙、布、ビニール等特に問わない。（祝儀袋としては紙製もしくは布製が妥当と思われる。ブックカバーとしても紙製、布製のものは既にある）
【００１０】「寿」等のお祝い表記文字をあしらったしおり（図２）を作る。大きさは通常の祝儀袋に記されるお祝い表記文字を切り取ったほどの大きさ（縦４ｃｍ横３ｃｍ程度）で、形は長方形、楕円形等特に問わない。素材も特に問わない。（昨今極薄の鋼板に金メッキを施したブックマーク（しおり）があるが、これなどは豪華で祝儀袋としての価値も増す）
【００１１】そのしおりに付けられている細帯紐（１）の先端を、祝儀袋（＝ブックカバー）を開いた中央上端（２）に取り付ける。そしてしおりは祝儀袋表面（もしくはその上に置く短冊）の上部に、貼りはがし自在の小さな両面テープで貼り付ける（図３）。
【００１２】以上のような構成であるが。これを祝儀袋として使用する際は、祝儀（金員）を入れた内封筒（３）を、本体を開いた左右どちらかのポケット（４）に入れ（図１）、本体を閉じて水引をかける（図３）。
祝儀袋として使用された後は、貼り付けられたしおりをはがし、水引（７）と短冊（８）を取り除けばそのまましおり付きブックカバーとして利用できる。
【００１３】なお、一般の祝儀袋の右上に付けられる熨斗（６）であるが、昨今は省略するものもあるが、必要なら貼りはがし自在の両面テープで貼り付け、ブックカバーとして使用する際は取り除けばよい。
【符号の説明】
【００１４】１  しおりの細帯紐
２  祝儀袋（＝ブックカバー）を開いた中央上端
３  内封筒
４  祝儀袋内側ポケット
５  しおり（ブックマーク）
６  熨斗
７  水引
８  短冊
【図１】
2017088240.tif 000003
【図２】
2017088240.tif 000004
【図３】
2017088240.tif 000005
(57)【要約】      （修正有）【課題】高齢者や握力の弱い人たちが、大きさの異なるジャム等の広口の容器のふたを自分で容易に開閉できるふた開閉用具を提供する。【解決手段】Ｄ型リング１を刻みの入ったゴムシート３の長さを広口の容器のふた４の大きさ用に合わせて作った中に組み込み大きさが調整できるようにする。【選択図】図２
2017088221.tif 000002
【特許請求の範囲】
【請求項１】
刻みの入ったゴムシートを棒状に切断した二本の棒状のパーツの片方の端にクリップを取り付け、チューブまたはホースを短く切断した連結部品で連結する。次に二本の棒状にした刻みの入ったゴムシートをＤリングにはめ込み閉じていないゴムシートの端をクリップで挟むと同時に連結部品を組み込み連結する。この両端を固定された間にはめ込んだＤリングを移動させることにより、様々な多角形をしたふたの大きさに合わせることによりふたを固定し、ふたの開閉を行う事を特徴としたふた開閉用具。
【請求項２】
請求項１の仕組みを利用することにより、一つのふた開閉用具で一定の大きさ以下の様々な容器のふたを一個のふた開閉用具でふたの開閉を行う事を特徴としたふた開閉用具。
【発明の詳細な説明】
【技術分野】
【０００１】
本発明はジャム等の容器のふたの開閉補助用具に関するもの。
【背景技術】
【０００２】
キャップやふたの開閉用具としては多数のものが見受けられるが、様々な大きさに対応できる開閉用具はニーズがあるにもかかわらず現実にはあまり使用の実態を耳にする事がない。  
【０００３】
又、以前似たようなものがあったが製作に時間がかかる上、使いにくくその姿を見る事がない。
【先行技術文献】
【特許文献】
【０００４】
【特許文献１】特開２０１３−０８２４６７
【特許文献２】実登３０２７６４６
【特許文献３】特開２００９−２９８４１０
【発明の概要】
【発明が解決しようとする課題】
【０００５】
以前のものは次のような欠点があった。ペットボトルにだけしか使用できないとか、ジャム等の広口の容器のふたの開閉にしか使用できないと言う制限があった。また、メーカーの違いにより微妙に異なるサイズやまわり止め防止の溝の数等への対応が出来ていない。
【課題を解決するための手段】
【０００６】
本発明は、上記の課題を解決するために、Ｄ型リングを刻みの入ったゴムシートの長さを広口の容器のふたの大きさ用に合わせて作った中に組み込み大きさが調整できるようにする。  
【０００７】
刻みの入った二本のゴムシートの両端をそれぞれクリップで固定する。その固定したクリップはホースを短く切ったリングで接続してＤリングが抜け落ちないようにする。  
【０００８】
また、このクリップにストラップを取り付け何処にでも置けるし、携帯も可能にした。
【発明の効果】
【０００９】
本発明のふた開閉用具を使用することにより、高齢者、障碍者、年少者がいつでも何処でもキーフォルダーのイメージで違和感なく快適にペットボトルからジャム等の容器ふたが一つ用具で開閉が行える様になる。  
【００１０】
又、個人や中小の法人で量産が出来ない人でも、簡単に製作できる様にした。
【図面の簡単な説明】
【００１１】
【図１】図１は本発明の側面図を示す。
【図２】図２は本発明の上面図を示す。
【図３】図３は本発明の使用例を示す。
【図４】図４は３，５，６の拡大図
【発明を実施するための形態】
【００１２】
本発明の実施形態を図１〜図４に基づいて説明する。  
【００１３】
図１は本発明の側面図でＤリングを移動させることにより、ふた又はキャップの大小にかかわらず、ふた開閉用具をふた又はキャップと半固定状態にできる仕組みを示す。  
【００１４】
図２は本発明の上面図で刻みを入れたゴムシートがふたの大きさに合わせて固定した状態を示す。  
【００１５】
図３は本発明の使用例を示し、ふた又はキャップにふた開閉用具で開閉している使用状態を示す。  
【００１６】
図４は本発明の３，５，６の拡大図を示す。
【実施例１】
【００１７】
図２は、本発明の上面図を示す。
【産業上の利用可能性】
【００１８】
高齢者や握力の落ちた人や障碍者、年少者が人手を借りず一人で大、小様々な、ふたやキャップの開閉を一つの用具で行う事が可能になる。  又、個人や中小の法人で量産が出来ない人でも、簡単に製作できる様になる。
【符号の説明】
【００１９】
１  Ｄリング２  クリップ３  ゴムシート（刻み入り）  ４  ジャム等のふた  ５  クッションシート  ６  手芸用テープリボン  ７  ストラップ  ８  手  ９  ホースを短く切ったリング
【図１】
2017088221.tif 000003
【図２】
2017088221.tif 000004
【図３】
2017088221.tif 000005
【図４】
2017088221.tif 000006
(57)【要約】【課題】排ガスの浄化率を低下させることなく、インジェクターの噴口部への煤の堆積を防止することができる排ガス浄化装置を提供する。【解決手段】複数の湾曲部５ａ〜５ｄを有するディーゼルエンジン１の排気通路２に挿入されたインジェクター４と、そのインジェクター４の下流側の排気通路２に介設されたＰＭ捕集フィルター７とを備えた排ガス浄化装置において、インジェクター４をディーゼルエンジン１に最も近接する湾曲部５ａの内側から挿入する。【選択図】図１
2017110556.tif 000002
【特許請求の範囲】
【請求項１】
複数の湾曲部を有するエンジンの排気通路に挿入されたインジェクターと、前記インジェクターの下流側の前記排気通路に介設されたＰＭ捕集フィルターと、を備えた排ガス浄化装置において、
前記インジェクターを、前記複数の湾曲部のうちの前記エンジンに最も近接する湾曲部の内側から挿入してなる構成を有することを特徴とする排ガス浄化装置。
【請求項２】
前記インジェクターを前記排気通路の下流側に向けて傾斜させて挿入してなる構成を有する請求項１に記載の排ガス浄化装置。
【発明の詳細な説明】
【技術分野】
【０００１】
本発明は排ガス浄化装置に関し、更に詳しくは、排ガスの浄化率を低下させることなく、インジェクターの噴口部への煤の堆積を防止することができる排ガス浄化装置に関する。
【背景技術】
【０００２】
ディーゼルエンジンを駆動源とする車両には、排ガスに含まれる粒子状物質（ＰＭ）や窒素酸化物（ＮＯｘ）などの有害物質を除去するための排ガス浄化装置が搭載されている。
【０００３】
前者のＰＭについては、セラミックス製のハニカム状多孔体のフィルターによりＰＭを捕集して浄化するＰＭ捕集フィルターが主に用いられている（例えば、特許文献１を参照）。このＰＭ捕集フィルターは、捕集されたＰＭによる目詰まりを防ぐために、捕集限界量に達する前にＰＭを燃焼させて除去する必要がある。排ガスの温度が５００℃以上などの高温であるときには、ＰＭは連続的に自然燃焼する。しかし、排ガスの温度が低温のときには、排ガス中に未燃燃料を供給して、未燃燃料の炭化水素（ＨＣ）をフィルターの前段に配置された酸化触媒（ＤＯＣ）で燃焼させ、その酸化反応熱を利用してＤＯＣを６００℃程度に加熱することで排ガスを昇温して、捕集されたＰＭを強制的に燃焼させる強制再生が必要となる。
【０００４】
通常、排ガス中への未燃燃料の供給は、排気通路に挿入されたインジェクターにより行われる。このインジェクターは、先端の噴口部から未燃燃料を噴霧するものであるが、排ガス中に含まれる煤が噴口部に堆積して噴霧異常に至るおそれがある。
【先行技術文献】
【特許文献】
【０００５】
【特許文献１】特開２００５−１６３１７号公報
【発明の概要】
【発明が解決しようとする課題】
【０００６】
本発明の目的は、排ガスの浄化率を低下させることなく、インジェクターの噴口部への煤の堆積を防止することができる排ガス浄化装置を提供することにある。
【課題を解決するための手段】
【０００７】
上記の目的を達成する本発明の排ガス浄化装置は、複数の湾曲部を有するエンジンの排気通路に挿入されたインジェクターと、前記インジェクターの下流側の前記排気通路に介設されたＰＭ捕集フィルターと、を備えた排ガス浄化装置において、前記インジェクターを、前記複数の湾曲部のうちの前記エンジンに最も近接する湾曲部の内側から挿入してなる構成を有することを特徴とするものである。
【発明の効果】
【０００８】
本発明の排ガス浄化装置によれば、インジェクターをエンジンに最も近接している湾曲部の内側から挿入するようにしたので、排気通路の湾曲部の内側に発生する排ガスの渦によって煤の滞在が抑制されるので、インジェクターの噴口部への煤の堆積を防止することができる。また、高温の排ガス中に未燃燃料が噴霧されるので、未燃燃料が液滴化することなく排ガスと十分に混合してＰＭ捕集フィルターの再生に供されるため、排ガスの浄化率が低下することはない。
【図面の簡単な説明】
【０００９】
【図１】本発明の実施形態からなる排ガス浄化装置の構成図である。
【発明を実施するための形態】
【００１０】
以下に、本発明の実施の形態について、図面を参照して説明する。図１は、本発明の第１の実施形態からなる排ガス浄化装置の構成を示す。
【００１１】
この排ガス浄化装置は、車両に搭載されたディーゼルエンジン１からの排ガスＧが流れる排気通路２に介設された太径の触媒コンバーター３と、その触媒コンバーター３の上流側の排気通路２に挿入されたインジェクター４とを備えている。
【００１２】
排気通路２には、車両のレイアウトに応じた複数（この例では４個）の湾曲部５ａ〜５ｄが、ディーゼルエンジン１から順に形成されている。
【００１３】
触媒コンバーター３内には、前段に酸化触媒（ＤＯＣ）６が配置されたＰＭ捕集フィルター７が格納されている。ＤＯＣ６は、ディーゼルエンジン１の排ガスＧの混合機能を有する構造に成形した金属製の担持体に、ロジウム、酸化セリウム、白金、酸化アルミニウム等を担持して形成される。また、ＰＭ捕集フィルター７は、多孔質セラミック製のハニカムのチャンネル（セル）の入口と出口を交互に目封じしたモノリスハニカム型のウオールフロータイプのフィルターから形成される。なお、図１の構成例では、ＤＯＣとＰＭ捕集フィルターとを別体としているが、フィルターに酸化触媒物質を担持させたＣＳＦとして一体で用いるようにしても良い。
【００１４】
インジェクター４は、燃料タンク（図示せず）から圧送された未燃燃料を、排気通路２内に位置する先端の噴口部８から噴霧する機能を有している。このインジェクター４は、未燃燃料と排ガスＧとが十分に混合するように、排気通路２の下流側に向けて傾斜して挿入されている。
【００１５】
このような排ガス浄化装置において、インジェクター４は、４個の湾曲部５ａ〜５ｄのうちで、ディーゼルエンジン１に最も近接している湾曲部５ａの内側から排気通路２へ挿入されている。
【００１６】
このように構成することで、排気通路２の湾曲部５ａの内側に発生する排ガスＧの渦によって煤の滞在が抑制されるので、インジェクター４の噴口部８への煤の堆積を防止することができるのである。また、ディーゼルエンジン１から排出された直後の高温の排ガスＧ中に未燃燃料が噴霧されるので、未燃燃料が液滴化することなく排ガスＧと十分に混合してＰＭ捕集フィルター７の再生に供されるため、排ガスＧの浄化率が低下することはない。
【符号の説明】
【００１７】
１  ディーゼルエンジン
２  排気通路
３  触媒コンバーター
４  インジェクター
５ａ〜５ｄ  湾曲部
６  ＤＯＣ
７  ＰＭ捕集フィルター
８  噴口部
【図１】
2017110556.tif 000003
(57)【要約】      （修正有）【課題】地震および津波で倒壊することを防止する墓石および石碑を提供する。【解決手段】ステンレス板（厚さ約２〜５ミリ）を成形した内枠を設け上部ステンレス板（厚さ約２〜５ミリ）の中心部からステンレスパイプ（約１００Φミリ）を下部コンクリート基礎台まで通し，中間３ケ所に，ステンレスパイプ（２７Φミリ）又は板（厚さ約２〜５ミリ×幅３０〜５０ミリ）で内枠ステンレス板（厚さ約２〜５ミリ）を支え補強した免震対策を特徴とする。【選択図】図２
2017110483.tif 000002
【特許請求の範囲】
【請求項１】
内枠は上，中，下部と一体でありさらに中心部にステンレスパイプ（約１００Φミリ）をステンレス上板（厚さ約２〜５ミリ）に点溶接し下部はコンクリート基礎台で固める。上，中，下部内枠の中間に３ケ所のステンレスパイプ（約２７Φミリ）又は板（厚さ２〜５ミリ×幅３０〜５０ミリ）が中心部のステンレスパイプを貫通し内枠ステンレス板（厚さ約２〜５ミリ）に点溶接された強固な免震性墓石および石碑。
【請求項２】
ステンレス板（厚さ約２〜５ミリ）を折り曲げ成形した表面に薄い板状（厚さ約３０ミリ）の花崗岩および大理石又はプラスチックを免震接着材で張り付けした墓石および石碑。
【請求項３】
粉状にした花崗岩および大理石又はプラスチックを金型で成形（厚さ約３０ミリ）し内枠外側表面に免震接着材で張り付けたのち研磨仕上げした墓石および石碑。
【発明の詳細な説明】
【技術分野】
【０００１】本発明は，免震性墓石および石碑に関するものである。
【背景技術】
【０００２】従来の墓石および石碑は花崗岩また大理石を積み重ねたものでセメントなどで接着した免震性を特に考慮したものではなかった。
【先行技術文献】
【特許文献】
【０００３】
【非特許文献１】
【０００４】
【発明の概要】
【発明が解決しようとする課題】
【０００５】以上に述べた従来の墓石および石碑では地震また津波で倒壊していたという欠点があった。本発明は，以上のような欠点をなくするためになされたものである。
【課題を解決するための手段】
【０００６】そして，本発明は上記目的を達成するためにステンレス板（厚さ約２〜５ミリ）内枠成形品の中心部に上部より垂直にステンレスパイプ（約１００Φミリ）を下部コンクリート基礎台に接続し，さらに，土中のコンクリートに埋め込む事により倒壊を防止する。以上の構成よりなる免責性墓石および石碑である。
【発明の効果】
【０００７】上述したように本発明の墓石および石碑は，内枠成形品外側表面に花崗岩および大理石又はプラスチック（厚さ約３０ミリ）を張り付け内部は地震および津波に耐えられるよう補強された墓石および石碑を提供できる。
【図面の簡単な説明】
【０００８】
【図１】  本発明の平面から見た断面図（Ａ〜Ａ）である。
【図２】  本発明の正面から見た断面図（Ｂ〜Ｂ）である。
【発明を実施するための形態】
【０００９】以下，本発明の実施の形態を図１〜図２に基づいて説明する。
【００１０】図においては，１ステンレス板（厚さ約２〜５ミリ）を折り曲げ成形した内枠でその外側表面に墓石および石碑とするため２花崗岩および大理石又はプラスチックの板状また粉状の成形品（厚さ約３０ミリ）を免震接着材で張り付けた構造である。
【００１１】内枠を補強するため中心部に３ステンレスパイプ（約１００Φミリ）を上板〜下部５コンクリート基礎台まで通す。
【００１２】中間３ケ所に３ステンレスパイプ（約１００Φミリ）を貫通し４ステンレスパイプ（約２７Φミリ）また板（厚さ２〜５ミリ×幅３０〜５０ミリ）を１ステンレス板（厚さ約２〜５ミリ）の補強のために設けた以上のような構造である。
【００１３】上板と３，４パイプまた板と１板の接点は点溶接で繋ぎあわせる。
【符号の説明】
【００１４】１ステンレス板
２花崗岩および大理石またプラスチック
３ステンレスパイプ（約１００Φミリ）
４ステンレスパイプ（約２７Φミリ）又は板（厚さ２〜５ミリ×幅３０〜５０ミリ）
５コンクリート基礎台
【図１】
2017110483.tif 000003
【図２】
2017110483.tif 000004
(57)【要約】      （修正有）【課題】便器内で生成する尿石発生の防止と、尿素の分解により発生したアンモニアガスを吸着除去する能力を兼ね備える尿石防止剤を提供する。【解決手段】アンモニアガスの吸着能力を有しているミョウバンを使用することで尿石防止とアンモニアガスの吸着能力を兼ね備える尿石防止剤となることを見出した。【選択図】図３
2017113741.tif 000002
【特許請求の範囲】
【請求項１】
ミョウバンを使用した尿石防止剤。
【請求項２】
アンモニアガスの吸着能力を兼ね備えることを特徴とする請求項１に記載の尿石防止剤。
【発明の詳細な説明】
【技術分野】
【０００１】  本発明は便器用尿石防止剤に関し、更に詳細にはアンモニアガスの吸着能力を有する尿石防止剤に関するものである。
【背景技術】
【０００２】  便器内の排水経路には尿石と呼ばれるスケールが生成する。便器内で尿石を生成させないためには便器内を酸性に維持せねばならず有機や無機の酸性塩を尿石防止剤に配合していた。
また、便器内では細菌等による尿の分解が起こり、アンモニアガスが発生し悪臭の原因となっている。しかしながら、従来の尿石防止剤は尿石を生成させないために便器内を酸性に維持する効果はあったが、アンモニアガスの吸着能力では満足いくものではなかった。
【発明の概要】
【発明が解決しようとする課題】
【０００３】  本発明は、このような事情を鑑みてなされたものであり、尿石防止とアンモニアガスの吸着能力を兼ね備える尿石防止剤を提供することを目的とする。
【課題を解決するための手段】
【０００４】  本発明者らは、上記課題を解決するため鋭意研究した結果、アンモニアガスの吸着能力を有しているミョウバンを使用することで尿石防止とアンモニアガスの吸着能力を兼ね備える尿石防止剤となることを見出した。この知見に基づいて、本発明を完成するに至った。【０００５】  かくして本発明によれば、下記（１）〜（２）が提供される。
（１）ミョウバンを使用した尿石防止剤。
（２）アンモニアガスの吸着能力を兼ね備えることを特徴とする（１）に記載の尿石防止剤。【０００６】  ここでいうミョウバンとは硫酸アルミニウムカリウム（以下、カリウムミョウバンと称す）または硫酸アルミニウムアンモニウム（以下、アンモニウムミョウバンと称す）のことであり含水塩であっても無水塩であってもかまわない。【０００７】  ミョウバンは吸着による優れたアンモニアガスの除去能力を有する。ここでいう吸着とは化学吸着でありミョウバンとアンモニウムイオンとの一部化学結合を伴うものである。またミョウバンは水に溶けると酸性を呈するため尿石防止効果を有する。本発明は、ミョウバンを尿石防止剤に使用することで尿石防止とアンモニアの吸着能力を兼ね備える尿石防止剤を提供するものである。
また、ミョウバンは食品添加物であるため、使用するうえで安全性に全く問題がない特長がある。【０００８】  便器内が酸性下にあることでカルシウム塩の析出を防ぎ尿石の生成を抑制する。そのためには尿石防止剤に便器内を酸性に維持する薬剤の配合が必要となる。また、洗浄水中において尿素の分解で生成したアンモニウムイオンは酸性下では、アンモニアガスとして大気中へ発散することが抑制される。このため尿石防止剤に酸性を維持する薬剤の配合が必要となる。また、尿石防止剤がアンモニアガスの吸着能力を有していれば便器内から発散したアンモニアガスは便器内に置かれた尿石防止剤により吸着除去される。【０００９】  本発明の尿石防止剤に使用されるカリウムミョウバン、アンモニウムミョウバンのどちらともアンモニアガスの吸着能力に優れ、１２水塩、無水塩のどちらも吸着能力を有する。【００１０】  また、カリウムミョウバン、アンモニウムミョウバン共に殺菌能力を有することが知られている。殺菌能力を有することは尿の分解を抑え、アンモニアガスの生成を抑制する効果も期待できる。このように、カリウムミョウバン、アンモニウムミョウバンは尿石防止剤に使用するうえで相応しい材料と言える。
【発明の効果】
【００１１】  尿石防止剤にミョウバンを使用することで便器内を酸性に維持し尿石を発生させない効果をもたらすとともに、尿が分解することで発生したアンモニアガスを吸着する能力を付加させることができる。
【図面の簡単な説明】
【００１２】
【図１】実施例１で得られたカリウムミョウバンのアンモニアガス除去率曲線である。
【図２】実施例２で得られたアンモニウムミョウバンのアンモニアガス除去率曲線である。
【図３】実施例３で得られた目皿内部の観察写真である。
【図４】比較例１で得られた目皿内部の観察写真である。
【発明を実施するための形態】
【００１３】  本発明で尿石防止剤に使用されるミョウバンは単独で用いてもよく、また他の薬剤、例えば固体酸、酸性塩、中性塩、芳香剤、界面活性剤、殺菌剤などと配合しても良い。尿石防止剤は固形成形体として使用される場合が多い。このときこれら薬剤だけでは固形成形体として形を成さない場合には、アラビアガム等の糖類で固めて使用してもよい。また、グリコール類、ビニルアルコール類に混練しペースト状での使用も可能である。さらに固形またはペースト状ではなく顆粒状、水溶液として使用してもよい。
【実施例】
【００１４】  （実施例１）
アルミ袋（長さ２０ｃｍ、幅１５ｃｍ）の中にカリウムミョウバン１２水塩（大明化学工業（株）製）０．５ｇを入れ、アンモニアガスをアルミ袋内に導入し密閉する。このときの初期アンモニアガス濃度は７８０００ｐｐｍである。所定の接触時間後に北川式ガス検知管によりアンモニアガスの濃度を測定した。結果は図１に示すように約１時間後には１００％近い吸着除去効果が認められた。【００１５】  （実施例２）
アルミ袋（長さ２０ｃｍ、幅１５ｃｍ）の中にアンモニウムミョウバン１２水塩（大明化学工業（株）製）０．５ｇを入れ、アンモニアガスをアルミ袋内に導入し密閉する。このときの初期アンモニアガス濃度は７８０００ｐｐｍである。所定の接触時間後に北川式ガス検知管によりアンモニアガスの濃度を測定した。結果は図２に示すように約１時間後には１００％近い吸着除去効果が認められた。【００１６】  （実施例３）
カリウムミョウバン１２水塩（大明化学工業（株）製）を直径４．５ｃｍ、厚さ２ｃｍの円筒状に成形して、約１０名が日常的に使用している男子小便器内の目皿上に置き、目皿内部の尿石生成の観察を行った。９日間経過後、目皿内部に尿石の発生は認められなかった。この時の目皿内部の状態を図３に示した。【００１７】  （比較例１）
実施例３と同様の男子小便器にてミョウバンを使用した尿石防止剤を置かずに目皿内部の尿石生成の観察を行った。９日間経過後、図４の１に示す部分の目皿内部に尿石の付着が認められた。この部分は目皿内部の洗浄水が溜る液面と大気の界面である。
【符号の説明】
【００１８】１  尿石付着部分
【図１】
2017113741.tif 000003
【図２】
2017113741.tif 000004
【図３】
2017113741.tif 000005
【図４】
2017113741.tif 000006
(57)【要約】      （修正有）【課題】次回使用する時に、ペーパーを取出すのに一度カッターを持ち上げてからペーパーの先端部分を探し出して引っ張り出す必要の無いスライド伸延式トイレットペーパーカッターを提供する。【解決手段】使用時、既にペーパーカッターの刃先よりトイレットペーパー７の先端は垂れ下がっている。トイレットペーパー７の先端をつまんで使用必要分を引き出し、カッター押出しバー２を押し下げると、ペーパーカッター１先端も押し下げられ、この状態でペーパーを切断する。その後、押しボタンを引き上げて元の位置に戻して置き、次回使用時にはトイレットペーパー７の先端の垂れている部分を引っ張る。【選択図】図６
2017113505.tif 000002
【特許請求の範囲】
【請求項１】
在来のトイレットペーパー上蓋（４）に、スライド伸縮式トイレットペーパーカッター（１）を付加する。トイレットペーパーカッター押出しバー（２）を上下にスライドさせることにより、ペーパーカッター（１）の刃先をペーパーカッターケース（３）の出入り口（１１）より伸延、収縮させることのできる装置。
【発明の詳細な説明】
【技術分野】
【０００１】この発明は、従来のトイレットペーパーカッターに、スライド伸延式トイレットペーパーカッターを付加したものである。
【背景技術】
【０００２】従来、トイレットペーパーをトイレットペーパーカッターで切った時、そのペーパー先端部はカッターの刃の下に隠れているので、トイレットペーパーを次回使用する時には、一度、カッターを持ち上げた状態でペーパーを取り出していた。
【先行技術文献】
【特許文献】
【０００３】
【発明の概要】
【発明が解決しようとする課題】
【０００４】従来、トイレットペーパーをトイレットペーパーカッターで切った時、そのペーパー先端部はカッターの刃の下に隠れているので、トイレットペーパーを次回使用する時には、先ず片方の手でペーパーカッターを持ち上げた状態で、他方の手でペーパー先端を探しながら取り出さなければならない手間があった。
【課題を解決するための手段】
【０００５】本発明においては、トイレットペーパーカッターの刃をスライド伸延した状態でトイレットペーパーをカットし、後にカッターを収縮させればロールに残ったペーパー先端は刃の先端より外部に残ったままで垂れ下がった状態になる。次回使用する時はこれを摘んで容易に取出す事ができるようになる。
【発明の効果】
【０００６】従来、トイレットペーパーを使用する時は、ペーパーカッターの刃を一度持ち上げてから取り出す手間があったが、本発明では、カッターを持ち上げることなく、カッターの刃の外部に残ったままで垂れ下がっている先端部分を摘んで引出すことにより、その手間が不要になった。また、カッターの刃で怪我をする危険性が減少した。
【図面の簡単な説明】
【０００７】
【図１】本発明の上面図である。
【図２】本発明の正面図である。
【図３】本発明〔図２〕のＡ−Ａ’断面図である。
【図４】本発明のスライド伸縮式ペーパーカッター図である。
【図５】本発明のペーパーカッターケース図である。
【図６】本発明の全体斜視図である。
【図７】本発明のトイレットペーパーケース斜視図である。
【図８】本発明のスライド伸縮式ペーパーカッター斜視図である。
【図９】本発明のペーパーカッターケース斜視図である。
【発明を実施するための形態】
【０００８】以下、本発明を実施するための形態について説明する。トイレットペーパー上蓋（４）若しくは、トイレットペーパーケース（６）にペーパーカッターケース（３）及びスライド伸縮式ペーパーカッター（１）を付加、ペーパーカッター押出しバー（２）を押し下げると、ペーパーカッター（１）の先端も押し下げられる。この状態でペーパーを切断した後、カッター押出しバー（２）を引き上げて元の位置に戻して置く。
【符号の説明】
【０００９】  １  スライド伸延式ペーパーカッター  ２  ペーパーカッター押出しバー  ３  ペーパーカッターケース  ４  トイレットペーパー上蓋  ５  トイレットペーパー上蓋軸  ６  トイレットペーパーケース  ７  トイレットペーパー  ８  トイレットペーパー芯  ９  トイレットペーパー脱着ハンガー１０  接着材１１  ペーパーカッターケース出入り口
【図１】
2017113505.tif 000003
【図２】
2017113505.tif 000004
【図３】
2017113505.tif 000005
【図４】
2017113505.tif 000006
【図５】
2017113505.tif 000007
【図６】
2017113505.tif 000008
【図７】
2017113505.tif 000009
【図８】
2017113505.tif 000010
【図９】
2017113505.tif 000011
(57)【要約】      （修正有）【課題】スマートフォン本体を保護するだけでなく、紙素材を型押しして、鉛筆等の筆記用具で文字・絵を描いたり消しゴムで消せるメモ用紙として使用したり、紙素材を型押しして、広告媒体として使用するスマートフォン用ケースを提供する。【解決手段】紙素材を型押しして、鉛筆等の筆記用具で文字・絵を描いたり消しゴムで消せるメモ用紙２，３として使用したり、紙素材を型押しして、広告媒体として使用するスマートフォン用ケース１。【選択図】図１
2017113501.tif 000002
【特許請求の範囲】
【請求項１】
紙素材を型押しして、鉛筆等の筆記用具で文字・絵を描いたり消しゴムで消せるメモ用紙として使用したり、紙素材を型押しして、広告媒体として使用することを特徴とするスマートフォン用ケース。
【発明の詳細な説明】
【技術分野】
【０００１】本発明は、紙素材を型押しして、鉛筆等の筆記用具で文字・絵を描いたり消しゴムで消せるメモ用紙として使用したり、紙素材を型押しして、広告媒体として使用するスマートフォン用ケースに関する。
【背景技術】
【０００２】従来、スマートフォン用ケースは、スマートフォン本体を保護することが主な目的であり、その素材は樹脂素材や皮及び合成皮革であった。
【発明の概要】
【発明が解決しようとする課題】
【０００３】本発明の課題は、スマートフォン本体を保護するだけでなく、紙素材を型押しして、鉛筆等の筆記用具で文字・絵を描いたり消しゴムで消せるメモ用紙として使用したり、紙素材を型押しして、広告媒体として使用するスマートフォン用ケースを提供することである。
【課題を解決するための手段】
【０００４】本発明は、紙素材を型押しした、スマートフォン用ケースである。
【発明の効果】
【０００５】本発明により、鉛筆等の筆記用具で文字・絵を描いたり消しゴムで消せるメモ用紙として使用したり、紙素材の広告媒体として使えるスマートフォン用ケースを提供できる。
【図面の簡単な説明】
【０００６】
【図１】本発明のスマートフォン用ケース表面・裏面
【発明を実施するための形態】
【０００７】本発明について、図を用いて説明する。１は、紙素材を型押ししたスマートフォン用ケースである。２と３は、鉛筆等の筆記用具で文字・絵を描いたり消しゴムで消せるメモ用紙や、広告媒体として使えるスペースである。４，５，６，７のスマートフォン用ケースの四隅を→方向に移動して、スマートフォン本体に装着する。
【実施例】
【０００８】紙素材を型押ししたスマートフォン用ケースの表面をメモ用紙として使用する。鉛筆を使い、書き消し自在なメモ用紙として使用。【０００９】紙素材を型押ししたスマートフォン用ケースの表面・裏面に、デイリー、ウイークリー、マンスリーのカレンダーを印刷して書き込み自由なカレンダーとして使用。【００１０】紙素材を型押ししたスマートフォン用ケースの表面をキャンバスとして自在に絵を描き、オリジナルケースとする。
【図１】
2017113501.tif 000003
(57)【要約】【課題】本発明は、歩行の補助だけでなくトレーニングにも活用しやすいよう改良した杖を提供することを目的としている。【解決手段】本発明は、筒状のポール本体の上端に球状のキャップを有し、さらに下端には石突を有し、石突及びキャップにそれぞれ隣接して把持部を有することを特徴としたトレーニングポールであり、上端の球状のキャップや把持部を2箇所有することによりウォーキングをより効果的に行うだけでなく、歩行補助やトレーニング、ストレッチ等の様々な目的に対応できる構成となっている。【選択図】図１
2017113101.tif 000002
【特許請求の範囲】
【請求項１】
筒状のポール本体の上端に球状のキャップを有し、さらに下端には石突を有し、石突及びキャップにそれぞれ隣接して把持部を有するトレーニングポール。
【発明の詳細な説明】
【技術分野】
【０００１】
本発明は、歩行の補助だけでなくトレーニングにも活用しやすいよう改良した杖である。
【背景技術】
【０００２】
近年、ロコモティブシンドローム予防等の目的で運動をしようとする中高年が増えている。
なかでも、ウォーキングは最も気軽にはじめやすい運動ひとつである。通常のウォーキングより、より高い運動効果を得たり、歩行の補助の目的で様々な種類のウォーキングポールが広く販売されている。
しかしながら、これらウォーキングポールはウォーキングに特化されたものであり、ウォーキング前の準備運動やウォーキング以外のトレーニングにも使用することを目的としたものは未だ普及していない。
【先行技術文献】
【特許文献】
【０００３】
【特許文献１】特開２０１５−５１０３０
【特許文献２】ＷＯ２００７／１１４１６７
【発明の概要】
【発明が解決しようとする課題】
【０００４】
ウォーキングに使用可能かつ、ウォーキング以外のトレーニングにも使用できるポール
【課題を解決するための手段】
【０００５】
上記課題を解決するために、請求項１に記載の発明は、筒状のポール本体の上端に球状のキャップを有し、さらに下端には石突を有し、石突及びキャップにそれぞれ隣接して把持部を有することを特徴とする。
【図面の簡単な説明】
【０００６】
【図１】本発明のトレーニングポールの外観図
【図２】本発明の実施例において、本発明のトレーニングポールを使用したウォーキングの動作を示す模式図。
【図３】本発明の実施例において、本発明のトレーニングポールを歩行の補助具として使用した動作を示す模式図。
【図４】本発明の実施例において、本発明のトレーニングポールの把持部が2箇所あることを生かした動作を示す模式図。
【図５】本発明の実施例において、本発明のトレーニングポールキャップが球状であることを生かした動作を示す模式図。
【発明を実施するための形態】
【０００７】
本発明を実施するための形態について、以下の如く図を引用しながら詳細に説明する。
【実施例】
【０００８】
図1は、本発明に係わるトレーニングポールの外観図である。トレーニングポール100は、金属製の筒状のポール本体100の上端に球状のエラストマー製のキャップ2を有し、さらに下端にエラストマー製の石突3を有し、キャップ2と石突3にそれぞれ隣接してエラストマー製の把持部4を備えた構成である。
トレーニングポール100を用いる場合、例えばウォーキング目的で使用するとき、使用者は図2に示すようにトレーニングポール100を左右それぞれの手に持ち、把持部を把持してウォーキングに用いることができる。また、歩行の補助を目的として使用するとき、使用者は図3で示すようにトレーニングポール100のキャップ部分を手を覆い被せるように把持して歩行補助に用いることができる。さらにトレーニング目的で使用する使用するとき、使用者は図4に示すようにトレーニングポールの把持部が両端にある構造を生かした体側伸ばしのようなトレーニングや、図5に示すようにトレーニングポールの上端に球状のキャップがある構造を生かした背中を伸ばすようなストレッチを容易に、効果的に行うことができる。
【符号の説明】
【０００９】
1     ポール本体
2     キャップ
3     石突
4     把持部
100  トレーニングポール
【図１】
2017113101.tif 000003
【図２】
2017113101.tif 000004
【図３】
2017113101.tif 000005
【図４】
2017113101.tif 000006
【図５】
2017113101.tif 000007
(57)【要約】      （修正有）【課題】部品の交換作業時ボルト、ナットが錆や傷などにより解けない問題の解決を可能とする。【解決手段】ナット２にヘリサート９を組み込みボルト側のねじ部が動かなくてもナット２側のねじ部が解け、かつナット２にヘリサート９を剥ぎ取る機能を持たしてある。【選択図】図２
2017009104.tif 000002
【特許請求の範囲】
【請求項１】
機械部品の取り付け時に使用されるボルトに結合されるナットであって、ナットのねじ部にヘリサート（インサートネジの種類で螺旋体をねじ溝に巻きつけてボルトとナットを結合させる部品）を具備したナットにおいて、前記ナットに締め付け面と、反締め付け面を決め、ヘリサート挿入用溝を前記反締め付け面手前で止めヘリサート挿入を阻止する停止部と、前記締め付け面に作られるナット外側面から前記ヘリサート挿入用溝の有効寸法の始まり部にヘリサート溝の進行回転方向に向かって略接線方向で連絡するヘリサート通過用案内溝と、前記案内溝より始まり前記ヘリサート挿入用溝を通り前記停止部まで具備されたヘリサートと、を特徴とするナット。
【発明の詳細な説明】
【技術分野】
【０００１】  定期的に交換する消耗部品や点検用部品などの取り付けに使用するボルト、ナットにおいて、部品の取り外し作業時にサビや傷により解けないボルト、ナットを取り外す技術に関する。
【背景技術】
【０００２】  多くのプラントでは、定期的な消耗部品の交換や点検作業がある。その部品の取り付けは、ボルト、ナットを使用している場合が多い。しかしそのボルト、ナットの全てが必ず解けるとはかぎらない。さび付いて緩まない一組のボルト、ナットのために大変な労力を要するものである。【０００３】  ナットを規定のトルクで締め付け、ナットより１〜２山ボルトのねじ山がはみ出した余り代が有るのがいいとされているが、次の部品交換時、余り代部分に傷や錆が発生しねじ山が破損した場合、ねじが解けない事がある。【０００４】  ガス切断や砥石切断が簡単である、しかし火気の使用できない場所もある。その場合ナットスプリッターや金きり工具でナットを切断する方法も考えられるが、工具の取り付け不可能な場所もある。上記の方法以外で簡単な方法は現在のところ無い状態である。【０００５】  余り代を傷や錆から守るために、袋ナットを使用する方法もあるが、袋ナットは使用可能なボルト長さがあり、そのボルトを準備し取り付け場所ごとに規定のボルトを配分する事は大変な作業である。また袋ナットも袋部分の肉厚が薄く傷に弱い。【０００６】  文献１のボルトはこのような場合非常に有効なボルトであるが全てのボルトの種類と長さを製造するのは現実的でない。
【文献１】
実登録  ３０５７００９
【発明の開示】
【発明が解決しようとする課題】
【０００７】  ボルトの錆や傷によりナットが解けない場合文献１のようにボルトに緩む機能を組み込むのではなく、ナットにその機能を組み込めばボルト長に関係なくナットの種類のみ用意すればよい。ナットに簡単にその機能を組み込み使用者が従来のナットと同様に使用でき、かつ必要なとき簡単に解けるナットが課題である。
【課題を解決するための手段】
【０００８】  上記課題を解決するためにヘリサートを組み込んだナットを使用する事でボルトのねじ部が錆び付き又は破損している場合ヘリサートとナットとのねじ部が解けナットが外れるが、ボルト上にヘリサートが残り、ペンチなどで取り外す必要がある。ナットを外すときにヘリサートも同時に外すことができれば便利がいい。
したがって、ナットに締め付け面と反締め付け面との区別を付け、締め付け面より反締め付け面近くまで規定のヘリサートを挿入できる溝加工をし、反締め付け面近くにヘリサート挿入を阻止する停止部を設け、締め付け面にナット外側面よりヘリサート溝の有効寸法の始まり部にヘリサート溝の進行回転方向に向かって略接線状に連絡するヘリサート通過用溝を作りその溝から前記ヘリサート溝の停止部までヘリサートを組み込むナットにより、ナットを緩める時点でボルト上に残ったヘリサートが案内溝より押し出されナットが解けると同時にボルトより外れる。
【発明の効果】
【０００９】  この発明によるナットはボルトの余り代部が破損し、ナットが解けず交換部品が取り外せない場合、破損部のねじにヘリサートのボルト側ネジ部が止まり、次にヘリサートのナット側ネジ部が緩みナットが取り外れる。かつヘリサートが締め付け面に作られた案内溝を通りナットを解いてゆく動作によりボルトより剥ぎ取られる状態で外れる機能を持っている。【００１０】  交換部品の取り付け時は規定のボルトを通しこの発明のナットを、締め付け面を部品側に向け締め付ける。ヘリサートはヘリサート停止部により締め付けに対して固定されており、ナットは交換部品を固定できる。ボルトが痛んでない場合のナットは再利用可能である。
【発明を実施するための最良の形態】
【００１１】  図１は交換部品の取り付け状態で、ボルト１とナット２によって交換部品３が本体４に取り付けられている。ボルトとナットの締結部よりはみ出ている余り代５にサビや傷が有ると、従来のナットの場合はボルト１より外れない。【００１２】  図１のナット２にヘリサート９を設置してある。ボルトの余り代５にサビや傷があってボルトとヘリサートのネジ部６が動かない場合ヘリサートとナットのネジ部７が動きヘリサートとナットが外れる。ボルト上にはヘリサートが残るがヘリサートはコイル状に巻いたネジ状の金属であるのでペンチのような工具で取り外さなければならない。【００１３】  図２のナット２は締め付け面１０と反締め付け面１１を定めてヘリサート９を締め付け面より挿入し、反締め付け面の手前でヘリサートの停止部１２で止める。締め付け面のナット外側面よりヘリサート溝の有効寸法の始まり部にヘリサートの進行回転方向に向かって連絡するヘリサート溝外周に略接線状、又は緩やかな螺旋状のヘリサート通過用の案内溝を作りヘリサートをその溝より組み込み停止部１２まで設置する【００１４】  図２のナットを緩める時ボルトの余り代が破損し図１の５の状態であれば、ボルトとヘリサートのネジ部６が止まりヘリサートとナット部７が緩む、その時ヘリサートは図２の溝８を抜けながらナットが緩む動きに従い剥ぎ取られていく。【００１５】  ヘリサートの組み込みは、ナットの案内溝から半周程度ナットのネジ部を取り去り、最後のねじ込み時にヘリサートの弾性を利用し案内溝に押し込み、案内溝の締め付け面を少し潰して溝より外れないよう半固定させる。ヘリサートとナットには防錆処理を施し、弱い接着処理すれば、普通のナットを操作するのと変わりない。
【図面の簡単な説明】
【００１６】
【図１】は機械部品をボルト、ナット、ヘリサートで取り付けた、部分断面図である。
【図２】はヘリサートを組み込んだナットの断面図で、ヘリサートの抜け出る案内溝と停止部を持っている。
【記号の説明】
１    ボルト
２    ナット
３    交換部品
４    機械本体
５    ボルトの錆びた余り代部
６    ヘリサートとボルトの接触部
７    ヘリサートとナットの接触部
８    ヘリサート通過用案内溝
９    ヘリサート
１０  ナットの締め付け面
１１  ナットの反締め付け面
１２  ヘリサートの停止部
【図１】
2017009104.tif 000003
【図２】
2017009104.tif 000004
(57)【要約】      （修正有）【課題】地震が発生時に揺れの少ない場所に発電所を設置する技術を提供する。【解決手段】設置場所として湖か海面上を選び、万一地震が起った際には震源地とのあいだに湖水か海水をおいて、緩衝地帯として利用する。海上に地域を求める場合には、海溝等なるべく水深のある地域とする。【選択図】なし【特許請求の範囲】
【請求項１】
耐震発電所設置場所として湖か海面上を選び、
万一地震が起った際には震源地とのあいだに湖水か海水をおいて、
緩衝地帯として利用することを特徴とする耐震発電所設置場所。
【請求項２】
耐震発電所設置場所は、
湖面上を場所として考える場合には、
湖の中で、出来るだけ水深のある地域に近付けることを特徴とし、
海上に場所を求める場合には、
海溝等なるべく水深のある地域に近付けることを特徴とするとする耐震発電所設置場所。
【発明の詳細な説明】
【技術分野】
【０００１】原子力発電所はやはり必要で、百歩譲って必要が無いとしても、地震等の為、国土の上でどこにも設置する場所が見つからない、と云うのは問題である。
【背景技術】
【０００２】我が国の場合、地震が問題であれば耐震技術を発展させて何とかならないのか？
【先行技術文献】
【特許文献】
【０００３】
【特許文献１】地震、耐震、設置を取り上げて、検索を掛けましたが該当なし。
【発明の概要】
【発明が解決しようとする課題】
【０００４】地震こそが抜き差しならない問題であるならば、現代社会の最新情報を持って耐震性をアップするべく、考察してみた。
設置場所として湖か海面上を選び、万一地震が起った際には震源地とのあいだに湖水か海水をおいて、緩衝地帯として利用することによって解決を図る案が当案である。
とくに海上に地域を求める場合には、海溝等なるべく水深のある地域とする。
水深のある地域では万一地震かという状況下でも比較的揺れが少ないと思われるからである。
そうして、その地域は人の住んでいる地方と海溝の位置関係で選ばれることとなろう。
湖の場合も同様である。
【課題を解決するための手段】
【０００５】設置場所として湖か海面上を選び、万一地震が起った際には震源地とのあいだに湖水か海水をおいて、緩衝地帯として利用することによって解決を図る案が当案である。【０００６】海上に地域を求める場合には、海溝等なるべく水深のある地域とする、
水深のある地域では万一地震かという状況下でも比較的揺れが少ないからである。
ちなみに、わが国の場合海岸の比較的近くに日本海溝、マリアナ海溝等があり、
その付近を狙えばより揺れにくい発電所を得られる。
【発明の効果】
【０００７】万一地震が起こってしまった場合でも、発電所と震源地との間に当該液体たる湖水か海水があるので、該外部と該内部で震災の揺れを緩衝地帯として利用し、解決を図る案が当案である。
【発明を実施するための形態】
【０００８】湖か海かを発電所用地と定め、当該水面上に船状でかつ工場誘致に適した長方形に近い土地を確保する。
これは該地方で地震があっても、当該船の上では比較的軽微な損害で澄み得るという点に注目した結果である。
【０００９】設置場所として湖か海面上を選び、万一地震が起った際には震源地とのあいだに湖水か海水をおいて、緩衝地帯として利用することによって解決を図る案が当案である。
【００１０】海上に地域を求める場合には、海溝等なるべく水深のある地域とする。
水深のある地域では万一地震かという状況下でも比較的揺れが少ないからである。
そうして、その地域は人の住んでいる地方と海溝の位置関係で選ばれることとなろう。
【実施例】
【００１１】日本に於いては国土付近に、千島カムチャッカ海溝、日本海溝等の海溝があるが、最悪地震が起こっても当該直上の海面は比較的穏やかであるという考えのもとに、設置場所として湖面上か海面上を選び、万一地震が起った際には震源地とのあいだに湖水か海水をおいて、緩衝地帯として利用することによって解決を図る案が当案である。
【手続補正書】
【提出日】平成28年6月11日(2016.6.11)
【手続補正１】
【補正対象書類名】特許請求の範囲
【補正対象項目名】全文
【補正方法】変更
【補正の内容】
【特許請求の範囲】
【請求項１】
耐震非核的発電所の設置地域は、
湖水中、湖面上を該設置地域として考える場合には、湖の中で、出来るだけ水深のある地域に近付けることを特徴とする耐震非核的発電所設置地域選択方法。
【請求項２】
耐震非核的発電所の設置地域は、
海水中、海面上に該設置地域を求める場合には、海溝等なるべく水深のある地域に近付けることを特徴とする耐震非核的発電所設置地域選択方法。